(57)【要約】【課題】分離式動静翼冷却ファンを提供する。【解決手段】ファン及び静翼ファン装置より構成され、該ファンはファンフレームを設けてなり、該ファンフレームは両側に入口、出口を設けてなり、該ファンフレーム内には動翼が設けられてなり、該静翼ファン装置は該ファンフレームの出口箇所に設置されて、複数の静翼を設けてなると共に該静翼はファンフレームの出口へ延伸し、動翼と静翼の距離を短縮し、省空間の特性を備えてなる。【選択図】図１
0003118715.tif 000002
【実用新案登録請求の範囲】
【請求項１】
ファンと少なくとも一つの静翼ファン装置より構成され、
該ファンは、該ファンフレームを設けてなり、該ファンフレームは中空の通気口を設けてなり、該通気口はファンフレームの両側に入口と出口を形成し、該ファンフレーム内の出口付近にはソケットが設けられてなり、ソケット上には活動可能な動翼が設置されてなり、
該静翼ファン装置は該ファンフレームの出口箇所と嵌合され、中空の筐体を備えてなり、該筐体内は複数の静翼を設けてなり、該静翼は該筐体の片側に軸方向へ突出すると共に、筐体の出口へ延伸し、該動翼と静翼との距離を短縮することを特徴とした、分離式動静翼冷却ファン。
【請求項２】
前記ファンフレーム上は受け口を設けてなり、該筐体は該ファンフレームの受け口に対応する固定部を設けてなることを特徴とした、請求項１に記載の分離式動静翼冷却ファン。
【請求項３】
前記固定部がラッチ、螺子にてなるか或いは他の固定方式にて該受け口と連結されてなることを特徴とした、請求項１に記載の分離式動静翼冷却ファン。
【請求項４】
前記静翼ファン装置は該ファンと共に用いられ冷却器或いは他のユニットと連接されてなることを特徴とした、請求項１に記載の分離式動静翼冷却ファン。
【請求項５】
前記静翼ファン装置の中空筐体上は固定部を設けてなり該冷却器と嵌合されることを特徴とした、請求項１に記載の分離式動静翼冷却ファン。
【請求項６】
前記固定部はラッチ、螺子にてなるか或いは他の固定方式にて該冷却器或いは他のユニットと連結されることを特徴とした、請求項５に記載の分離式動静翼冷却ファン。
【請求項７】
前記中空筐体内の複数の静翼の一端は中空筐体の内壁へ連接され、他端は筐体中心へ延伸すると共に結合されることを特徴とした、請求項１に記載の分離式動静翼冷却ファン。
【請求項８】
前記中空筐体内の複数の静翼の一端は中空筐体の内壁へ連接され、他端は筐体中心へ延伸すると共にホイールへ連接されることを特徴とした、請求項１に記載の分離式動静翼冷却ファン。
【請求項９】
前記静翼ファン装置のホイールは心のある形状或いは空心の形状にてなることを特徴とした、請求項８に記載の分離式動静翼冷却ファン。
【請求項１０】
前記ホイールの外壁は中心に向かい傾斜状或いは垂直状にてなることを特徴とした、請求項８に記載の分離式動静翼冷却ファン。
【請求項１１】
前記ファンフレームに相対する該中空筐体の片側内縁には対応する該通気口を設けてなると共に抑止部が突出してなり、該抑止部は該静翼ファン装置をファンと嵌合し該通気口内へ進入させることを特徴とした、請求項１に記載の分離式動静翼冷却ファン。
【請求項１２】
前記複数の静翼は該中空筐体と一体に形成されてなるか或いは単体個別に分離してなることを特徴とした、請求項７に記載の分離式動静翼冷却ファン。
【請求項１３】
前記複数の静翼は該中空筐体及びホイールと一体に形成されてなるか或いは単体個別に分離してなることを特徴した、請求項８に記載の分離式動静翼冷却ファン。
【考案の詳細な説明】
【技術分野】
【０００１】
本考案は、動静翼を分離式の設計にしたファンであることを特徴とした「分離式動静翼冷却ファン」に関する。
【背景技術】
【０００２】
公知の軸流ファンは簡易な動翼形式の軸流ファン（動翼ファン）と動静翼一体の軸流ファン（一体式動静翼ファン）があり、ファン動静翼が巻くファン軸の回転を通して流体を流動させる推進力を提供している。
【０００３】
該動翼ファンは流体力学の原理による制約を受け、気流出口の方向は必ずファン軸線と傾斜を成し、その結果出口より流出する時に発散形式で外部へ拡散流動し、流体が集中することができず、気流の方向と冷却鰭片の方向が不一致で、抵抗力を増大させると共に、冷却鰭片の風量を低下させ、望ましい冷却効果が得られず、騒音を増大させる。
【０００４】
該一体式動静翼ファンは動翼ファンの問題点を改良し、動翼背面に静翼を加え、動翼と静翼は一つのファン中空筐体を共用し、静翼片は動翼が出口へ発散する気流を整えることができ、ファン出口の風力を集中させ、気流の方向はファンの軸線に平行に流動できると共に、冷却鰭片の方向と一致し、冷却片の風量と騒音の問題を改善している。
【０００５】
しかし該一体式動静翼ファンは実際使用する上で多くの問題があり、一体式の設計である為、特定の環境下でしか利用できず、他の環境で応用する時に、該ファンの実際の運行状況と環境が合わず、ファンの使用状況が悪化し、効率の低下、流量の低下、騒音の増大が生じる。更に一体式設計により、該静翼部と動翼部は部品効用性に欠け、両者の内どちらかが損壊した場合に、両者の交換が必要とされ、交換の利便性に欠け、製造コストを増加させ、使用者の需要に適合しないのである。
【０００６】
中華民国特許公報公開番号の第４８８４９７号のファン増圧導流装置、及び中華民国公報公開番号第５２３６５２号の組み合わせ式ファンとそのファンフレーム構造、両案に共通して掲示される技術は、該静翼部と動翼部が分離式で、組み合わせを変化させて、風量及び風圧の制限がなく利用環境も問わず、ユニットの組み合わせにより利用環境に適応させることができる。
【０００７】
しかし上述技術にも使用上に問題があり、分離式の設計により、動翼と静翼の間隔が大きくなり、流体が動翼を通り静翼へ流動する時、間隔が大きい為、流体流動能力が低下し、また分離式の静翼と動翼とを組み合わせる為、両者の組み合わせ面に隙間が生じ、流体の一部が静翼に到達する前に隙間より溢流し、流動を減損させ、風圧の上昇に影響が生じるのである。
【考案の開示】
【考案が解決しようとする課題】
【０００８】
上述の公知技術の問題を解決する為、本考案は、動翼と静翼を個別単体で提供すると共に該静翼は動翼の方向に延伸し動翼と静翼との距離を短縮し、省空間の特性を持つことを目的とする。
【課題を解決するための手段】
【０００９】
上述の目的を達成するため、本考案が提供する「分離式動静翼冷却ファン」はファンにフレームを備えてなり、該ファンフレームの両側には入口と出口を設けてなり、該ファンフレーム内の出口付近にソケットを設けてなり、ソケット上には回転可能な動翼を設けてなり、該ファンフレームの出口箇所に静翼装置を組み合わせてなり、該静翼装置は中空筐体を備えてなり、該中空筐体内はホイールを設けてなると共に、該ホイールと中空筐体内壁間には複数の静翼が設けられてなる。
【考案の効果】
【００１０】
本考案は、注射器がインクをインクボトルからインクカートリッジへ導引する時に、注射器がインク室内の空気を吸引するだけで、初めはインクと大量の気泡との混合が、インクと少量の気泡との混合になり、最後は気泡のないインクになり、インクカートリッジの回路及びインク出口までのインク蓄蔵室の空間は完全にインクで充満され、いかなる気泡も存在せず、インクカートリッジを挿入しプリンターによる印刷時、インクカートリッジのインク蓄蔵室から噴射口までの間に、気泡の存在により空気塞栓現象が発生することを防止し、印刷作業の実行に影響が生じないようになっている。
【考案を実施するための最良の形態】
【００１１】
図１〜４に示すように、本考案は、ファン１１及び少なくとも一つの静翼ファン装置１２より構成され、該ファン１１はファンフレーム１１１を設けてなり、該ファンフレーム１１１は中空の通気口１１２を設けてなり、該通気口１１２はファンフレーム１１１の両側に入口１１３、出口１１４を設けてなり、ファンフレーム１１１の出口１１４付近にソケット１１５を設置してなり、該ソケット１１５上には活動可能な動翼１１６が設けられてなる。
【００１２】
該静翼ファン装置１２は中空の筐体１２１を設けてなり、該筐体１２１内は複数の静翼１２２を設けてなり、該静翼１２２の一端は該筐体１２１内壁に連接され、他端は中空筐体中心に向かって延伸すると共に、ホイール１２３に連接されてなり、該ホイール１２３は外壁と垂直を成し、他に該複数の静翼１２２は利用環境に合わせて異なり、ホイールと連接せずに中空筐体中心位置に延伸して結合してなることも可能であり、該複数の静翼１２２は該筐体１２１片側に軸方向へ突出し高くなる。
【００１３】
上記ファンフレーム１１１上は通孔等の受け口１１７を設けてなり、該筐体１２１は該ファンフレーム１１１の受け口１１７に対応して固定部１２４を設けてなり、該固定部１２４はラッチ、螺子等にてなることができ、又は糊付け等、他の固定方式にて受け口１１７と結合させる。
【００１４】
該静翼ファン装置１２は該ファン１１の出口１１４側に対応され、静翼１２２をファンフレーム１１１に向かい突出させた側は該ファン１１の出口１１４側へ対応されると共に、該出口１１４方向へ組み合わされ、更に該固定部１２４と該１１７とを嵌合され、同時に該中空筐体１２１よりやや突出した静翼１２２は動翼１１６方向へ該ファンフレーム１１１の出口１１４内側まで延伸し、該通気口１１２内まで延伸し、該動翼１１６と静翼１２２との距離を短縮させ、流体が動翼１１６を通過した後、直ちに該静翼１２２を通過し、流動の動力を減損せず、静翼１２２は公知技術よりも更に流体を軸線方向に平行に流動させ、流体圧力の特性をより備えてなる。
【００１５】
更に上記の静翼ファン装置１２は該ファン１１と共に用いられ冷却器或いは他のユニットと連接され、該静翼ファン装置１２の筐体１２１上は、対応する該冷却器或いは他のユニットの固定部が設けられなり、該固定部はラッチ、螺子等にてなり、或いは他の固定方式にて冷却器及び他のユニットと連結されてなり、該複数の静翼１２２は該中空の筐体１２１及び該ホイール１２３と一体に形成され或いは個別単体に分離されてなる。
【００１６】
上記の静翼ファン装置１２のホイール１２３は、心のあるもの、或いは省材料な空心状にてなることができ、図５に示すように該ホイール１２３の外壁は中心に向かって傾斜を成し、流体の軸心に向かう流動を導き、流体を更に集中させることができる。
【００１７】
図６〜１０は他の実施例であり、全体の構造と機能及び実施形態は前述の実施例と等しく、異なる箇所は、該中空の筐体１２１がファンフレーム１１１に相対し片側の内周に対応する該通気口１１２を設けてなると共に突出する抑止部１２５を形成し、該抑止部１２５は該静翼ファン装置１２をファン１１と組み合わせ該通気口１１２内へ進入させ、流体が静翼ファン装置１２とファン１１の結合を通過する時に隙間から流出することを防止する。
【００１８】
上述の説明のように、本考案は公知技術の問題を改善する。本考案は該静翼１２２が該筐体１２１へ突出し、該筐体１２１の厚さが公知技術よりも更に薄くできると共に、該静翼１２２は該ファン１１の入口１１３内へ延伸でき、流体の圧力を増加するだけでなく、静翼１２２を通る流体が軸線方向に平行に流動できるように修正することができ、同時にファン１１と静翼ファン装置１２両者の暑さを公知技術に比較して薄くすることができ、抑止部１２５により流体が溢流し減損するのを防止し、更に入口１１３から流入する流体量を保ち流量を上昇させる。
【００１９】
上記は本考案の推奨する実施例であり、本考案の方法、形状、構造、装置において類似の形態も本考案の範囲とする。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２１】
【図１】本考案の立体分解図である。
【図２】本考案の他視角からの立体分解図である。
【図３】本考案の立体図である。
【図４】本考案の断面図である。
【図５】本考案の断面図である。
【図６】本考案の立体分解図である。
【図７】本考案の立体図である。
【図８】本考案の立体分解図である。
【図９】本考案の立体図である。
【図１０】本考案の断面図である。
【符号の説明】
【００２２】
１１ ファン
１１１ ファンフレーム
１１２ 通気口
１１３ 入口
１１４ 出口
１１５ ソケット
１１６ 動翼
１１７ 受け口
１２ 静翼ファン装置
１２１ 筐体
１２２ 静翼
１２３ ホイール
１２４ 固定部
１２５ 抑止部
【図１】
0003118715.tif 000003
【図２】
0003118715.tif 000004
【図３】
0003118715.tif 000005
【図４】
0003118715.tif 000006
【図５】
0003118715.tif 000007
【図６】
0003118715.tif 000008
【図７】
0003118715.tif 000009
【図８】
0003118715.tif 000010
【図９】
0003118715.tif 000011
【図１０】
0003118715.tif 000012